(57)【要約】【課題】  ユーザーが簡単な操作で多様な機能を利用することができるようにする。【解決手段】  第１の設定メニューの階層下において第１の項目に含まれる何れかの設定値を設定し、第２の設定メニューの階層下において第２の項目に含まれる何れかの設定値を設定する設定手段と、  特定の操作に応じて、前記第１の項目に含まれる第１の設定値が選択されていた場合は前記第２の項目に含まれる第２の設定値に選択を切り替え、前記第１の項目に含まれる第３の設定値が選択されていた場合は前記第２の項目に含まれる第４の設定値に選択を切り替えるように制御する制御手段とを有することを特徴とする。【選択図】  図９
2014178951.tif 000002
【特許請求の範囲】
【請求項１】
第１の設定メニューの階層下において第１の項目に含まれる何れかの設定値を設定し、第２の設定メニューの階層下において第２の項目に含まれる何れかの設定値を設定する設定手段と、
特定の操作に応じて、前記第１の項目に含まれる第１の設定値が選択されていた場合は前記第２の項目に含まれる第２の設定値に選択を切り替え、前記第１の項目に含まれる第３の設定値が選択されていた場合は前記第２の項目に含まれる第４の設定値に選択を切り替えるように制御する制御手段と
を有することを特徴とする電子機器。
【請求項２】
前記設定手段は更に、第３の設定メニューの階層下において第３の項目に含まれる何れかの設定値を設定可能であり、
前記制御手段は、前記特定の操作に応じて、前記第１の項目に含まれる第５の設定値が選択されていた場合は前記第３の項目に含まれる第６の設定値に選択を切り替え、前記第３の項目に含まれる第６の設定値が選択されていた場合は前記第２の項目に含まれる第７の設定値に選択を切り替えるように制御することを特徴とする請求項１に記載の電子機器。
【請求項３】
前記制御手段における制御に基づいて設定値の選択を切り替える際に、前記第１の項目に含まれる設定値と前記第２の項目に含まれる設定値は同じ画面内に表示されないことを特徴とする請求項１または２に記載の電子機器。
【請求項４】
前記第２の項目に含まれる設定値は、前記第２の設定値と前記第４の設定値とを含む第１のグループの設定値と、該第１のグループとは異なる第２のグル―プの設定値とを含み、
前記制御手段は、前記特定の操作に応じて、前記２の設定値が選択されていた場合は前記第２のグループに含まれる第８の設定値に選択を切り替え、前記第４の設定値が選択されていた場合は前記第２のグループに含まれる第９の設定値に選択を切り替えるように制御することを特徴とする請求項１乃至３のいずれか１項に記載の電子機器。
【請求項５】
第１の動作モードと第２の動作モードとを含む複数の動作モードのうち何れかの動作モードに設定するモード設定手段を更に有し、
前記第１の動作モードでは前記設定手段による前記第２の設定メニューでの設定が可能であり、前記第２の動作モードでは前記設定手段による前記第２の設定メニューでの設定は行えないことを特徴とする請求項１乃至４の何れか１項に記載の電子機器。
【請求項６】
前記複数の動作モードには第３の動作モードも含み、
前記第２の動作モードでは前記設定手段による前記第１の設定メニューでの設定が可能であり、前記第３の動作モードでは前記設定手段による前記第１の設定メニューでの設定は行えないことを特徴とする請求項５に記載の電子機器。
【請求項７】
前記制御手段は、第４の設定メニューで特定の設定が行われた場合に前記制御を行い、
前記第１の動作モードでは前記設定手段による前記第４の設定メニューでの設定は行えず、前記第２の動作モードでは前記設定手段による前記第４の設定メニューでの設定が可能であることを特徴とする請求項６に記載の電子機器。
【請求項８】
前記制御手段は、第４の設定メニューで特定の設定が行われた場合に前記制御を行うことを特徴とする請求項１乃至６の何れか１項に記載の電子機器。
【請求項９】
前記複数の動作モードは、撮像手段での撮像を行うための複数の異なる撮影モードであることを特徴とする請求項５乃至７の何れか１項に記載の電子機器。
【請求項１０】
前記第１の項目および前記第２の項目は、何れも画像処理に関する項目であるとともに、互いに異なる設定値群の何れかを設定可能な項目であることを特徴とする請求項１乃至９の何れか１項に記載の電子機器。
【請求項１１】
前記第１の項目および前記第２の項目は、何れも画像処理に関する項目であるとともに互いに異なる設定値群の何れかを設定可能な項目であり、前記２の項目に含まれる設定値のうち、前記第１のグループの設定値はモノクロの画像を生成する画像処理とは異なる画像処理の設定値であり、前記第２のグループの設定値はモノクロの画像を生成する画像処理の設定値であることを特徴とする請求項４に記載の電子機器。
【請求項１２】
撮像手段を更に有することを特徴とする請求項１乃至１１の何れか１項に記載の電子機器。
【請求項１３】
第１の設定メニューの階層下において第１の項目に含まれる何れかの設定値を設定し、第２の設定メニューの階層下において第２の項目に含まれる何れかの設定値を設定する設定ステップと、
特定の操作に応じて、前記第１の項目に含まれる第１の設定値が選択されていた場合は前記第２の項目に含まれる第２の設定値に選択を切り替え、前記第１の項目に含まれる第３の設定値が選択されていた場合は前記第２の項目に含まれる第４の設定値に選択を切り替えるように制御する制御ステップと
を有することを特徴とする電子機器の制御方法。
【請求項１４】
コンピュータを、請求項１乃至１２のいずれか１項に記載された電子機器の各手段として機能させるためのプログラム。
【請求項１５】
コンピュータを、請求項１乃至１２のいずれか１項に記載された電子機器の各手段として機能させるためのプログラムを格納したコンピュータが読み取り可能な記憶媒体。
【発明の詳細な説明】
【技術分野】
【０００１】
本発明は複数の設定項目の設定を行う電子機器とその制御方法、プログラム及び記録媒体に関する。
【背景技術】
【０００２】
近年の電子機器は多機能化が進み、設定可能な項目も多岐に渡る。例えばデジタルカメラやカメラ付き携帯電話装置などの撮像装置では、画像の撮影の条件やその他の条件を設定するための項目が用意されている。撮像装置の機能が増加するにともない設定項目も増加しており、増加した設定項目の設定パラメータを設定するための工夫も提案されている。
【０００３】
特許文献１には、１つの操作部材に複数の設定項目の設定パラメータを割り当て、１つの操作部材に対する操作に応じて複数の設定項目の設定値を選択可能にすることが提案されている。例えば、右カーソルキーにＩＳＯ感度の項目の設定パラメータ（設定値）とセルフタイマーの項目の設定パラメータ（設定値）を割り当てることが開示されている。右カーソルキーのオン操作によって、画質設定のパラメータ群である「ＩＳＯオート」、「ＩＳＯ５０」、「ＩＳＯ１００」、「ＩＳＯ２００」と順に変更され、この後さらに右カーソルキーがオンされると、撮影設定のセルフタイマのパラメータ群に変更される。
【先行技術文献】
【特許文献】
【０００４】
【特許文献１】特開２０１１−２１７４１０号公報
【発明の概要】
【発明が解決しようとする課題】
【０００５】
使用可能な機能や設定項目群、設定値が増加すると、いくらかの使用可能な機能や設定項目の存在がユーザーに気づかれなかったり、設定方法が複雑であったりするために、ユーザーが電子機器の機能を使いこなせないという問題がある。特許文献１の方法でも、１つの操作部材に割り当てられた複数の設定項目のうち、選択される順番が後の設定項目の設定値は選択するまでの操作手数が多く、その操作部材に割りあたっていることに気づかれない恐れもある。また、操作部材に機能を割り当てるときに機能の存在や利用方法がユーザーに知られていないと、そもそも操作部材に割り当てられない。
【０００６】
そこで本発明は、ユーザーが簡単な操作で多様な機能を利用することができるようにした電子機器を提供することを目的とする。
【課題を解決するための手段】
【０００７】
上記課題を解決するために、本発明の電子機器は、
第１の設定メニューの階層下において第１の項目に含まれる何れかの設定値を設定し、第２の設定メニューの階層下において第２の項目に含まれる何れかの設定値を設定する設定手段と、
特定の操作に応じて、前記第１の項目に含まれる第１の設定値が選択されていた場合は前記第２の項目に含まれる第２の設定値に選択を切り替え、前記第１の項目に含まれる第３の設定値が選択されていた場合は前記第２の項目に含まれる第４の設定値に選択を切り替えるように制御する制御手段と
を有することを特徴とする。
【発明の効果】
【０００８】
本発明によれば、ユーザーは、簡単な操作で多様な機能を利用することができる。
【図面の簡単な説明】
【０００９】
【図１】本発明の電子機器の一例としてのデジタルカメラの外観図である。
【図２】本発明の電子機器の一例としてのデジタルカメラの構成ブロック図である。
【図３】撮影モード処理のフローチャートである。
【図４】撮影設定処理のフローチャートである。
【図５】クリエイティブフィルター設定処理のフローチャートである。
【図６】ピクチャースタイル設定処理のフローチャートである。
【図７】エフェクト切替処理のフローチャートである。
【図８】撮影設定画面の表示例である。
【図９】エフェクト切替処理で設定が切り替えられた場合の表示例である。
【図１０】エフェクト切替処理での切替順番と設定値との対応テーブルである。
【図１１】エフェクトショットで撮影された画像の再生モードでの表示例である。
【図１２】再生モード処理のフローチャートである。
【発明を実施するための形態】
【００１０】
以下、図面を参照して本発明の好適な実施形態を説明する。
【００１１】
図１に本発明の電子機器（表示制御装置）の一例としてのデジタルカメラの外観図を示す。表示部１１１は画像や各種情報を表示するディスプレイである。シャッターボタン１１６は撮影指示を行うための操作部である。モードダイヤル１１７は各種モードを切り替えるための操作部である。メインダイヤル５０、情報表示切替ボタン５５、再生ボタン５７、ライブビューボタン６０、撮影設定ボタン７０、方向ボタン８０、ＳＥＴボタン９０はユーザーからの操作を受け付ける操作部材である。なお、方向ボタン８０には、上ボタン、下ボタン、左ボタン、右ボタンが含まれる。以下、上ボタンと下ボタンを総称して上下キー、左ボタンと右ボタンを総称して左右キーと称するものとする。
【００１２】
図２に、本実施形態によるデジタルカメラ１００の構成例を示すブロック図を示す。図２において、撮影レンズ１０４はズームレンズ、フォーカスレンズを含むレンズ群である。レンズ群は着脱可能な交換レンズとしても良い。シャッター１０５は絞り機能を備えるシャッターである。撮像部１０６は光学像を電気信号に変換するＣＣＤやＣＭＯＳ素子等で構成される撮像素子である。Ａ／Ｄ変換器１０７は、アナログ信号をデジタル信号に変換する。Ａ／Ｄ変換器１０７は、撮像部１０６から出力されるアナログ信号をデジタル信号に変換するために用いられる。バリア１０３は、デジタルカメラ１００の、撮影レンズ１０４を含む撮像系を覆うことにより、撮影レンズ１０４、シャッター１０５、撮像部１０６を含む撮像系の汚れや破損を防止する。
【００１３】
画像処理部１０２は、Ａ／Ｄ変換器１０７からのデータ、又は、メモリ制御部１０８からのデータに対し所定の画素補間、縮小といったリサイズ処理や色変換処理を行う。また、画像処理部１０２では、撮像した画像データを用いて所定の演算処理が行われ、得られた演算結果に基づいてシステム制御部１０１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部１０２では更に、撮像した画像データを用いて所定の演算処理を行い、得られた演算結果に基づいてＴＴＬ方式のＡＷＢ（オートホワイトバランス）処理も行っている。
【００１４】
Ａ／Ｄ変換器１０７からの出力データは、画像処理部１０２及びメモリ制御部１０８を介して、或いは、メモリ制御部１０８を介してメモリ１０９に直接書き込まれる。メモリ１０９は、撮像部１０６によって得られＡ／Ｄ変換器１０７によりデジタルデータに変換された画像データや、表示部１１１に表示するための画像データを格納する。メモリ１０９は、所定枚数の静止画像や所定時間の動画像および音声を格納するのに十分な記憶容量を備えている。
【００１５】
また、メモリ１０９は画像表示用のメモリ（ビデオメモリ）を兼ねている。Ｄ／Ａ変換器１１０は、メモリ１０９に格納されている画像表示用のデータをアナログ信号に変換して表示部１１１に供給する。こうして、メモリ１０９に書き込まれた表示用の画像データはＤ／Ａ変換器１１０を介して表示部１１１により表示される。表示部１１１は、ＬＣＤ等の表示器上に、Ｄ／Ａ変換器１１０からのアナログ信号に応じた表示を行う。Ａ／Ｄ変換器１０７によって一度Ａ／Ｄ変換されメモリ１０９に蓄積されたデジタル信号をＤ／Ａ変換器１１０においてアナログ変換し、表示部１１１に逐次転送して表示することで、電子ビューファインダとして機能する。すなわち、スルー画像表示（ライブビュー表示）を行える。
【００１６】
不揮発性メモリ１１４は、電気的に消去・記録可能なメモリであり、例えばＥＥＰＲＯＭ等が用いられる。不揮発性メモリ１１４には、システム制御部１０１の動作用の定数、プログラム等が記憶される。ここでいう、プログラムとは、本実施形態にて後述する各種フローチャートを実行するためのプログラムのことである。
【００１７】
システム制御部１０１は、デジタルカメラ１００全体を制御する。前述した不揮発性メモリ１１４に記録されたプログラムを実行することで、後述する本実施形態の各処理を実現する。１１３はシステムメモリであり、ＲＡＭが用いられる。システムメモリ１１３には、システム制御部１０１の動作用の定数、変数、不揮発性メモリ１１４から読み出したプログラム等を展開する。また、システム制御部はメモリ１０９、Ｄ／Ａ変換器１１０、表示部１１１等を制御することにより表示制御も行う。
【００１８】
システムタイマー１１２は各種制御に用いる時間や、内蔵された時計の時間を計測する計時部である。
【００１９】
第１シャッタースイッチ１１６ａ（ＳＷ１）は、デジタルカメラ１００に設けられたシャッターボタン１１６の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。第２シャッタースイッチ１１６ｂは、シャッターボタン１１６の操作完了、いわゆる全押し（撮影指示）でＯＮとなり、第２シャッタースイッチ信号ＳＷ２を発生する。システム制御部１０１は、第２シャッタースイッチ信号ＳＷ２により、撮像部１０６からの信号読み出しから記録媒体１２３に画像データを書き込むまでの一連の撮影処理の動作を開始する。
【００２０】
モード切替スイッチ１１７は、システム制御部１０１の動作モードを複数の静止画記録モードの何れか、動画記録モード、再生モード等のいずれかに切り替える（モード設定する）。静止画記録モードに含まれるモードは、大きく分けて、主にユーザーが露出を決めて撮影設定を行う応用撮影ゾーンと、主にデジタルカメラ１００が自動的に露出（シャッター速度、絞り値など）を決めて撮影設定を行うかんたん撮影ゾーンとに分類される。各分類には以下の撮影モード（第１の動作モード、第２の動作モード、第３の動作モードを含む動作モー度）が含まれる。
【００２１】
［応用撮影ゾーン］
・プログラムＡＥモード（Ｐモード）
・シャッター優先ＡＥモード（Ｔｖモード）
・絞り優先ＡＥモード（Ａｖモード）
・マニュアル露出モード（Ｍモード）
【００２２】
［かんたん撮影ゾーン］
・ストロボ発光禁止モード
・クリエイティブオートモード（ＣＡモード）
・ポートレートモード
・風景モード
・クローズアップ（マクロ）モード
・スポーツモード
・スペシャルシーンモード（ＳＣＮモード）
さらに、モード切り替えスイッチ１１７でスペシャルシーンモードに設定したのち、以下のモードの何れかに他の操作部材を用いて切り替えられる。
【００２３】
［スペシャルシーンモード（ＳＣＮモード）］
・キッズモード
・料理モード
・キャンドルライトモード
・夜景ポートレートモード
・手持ち夜景モード
・ＨＤＲ（ハイダイナミックレンジ）逆光補正モード。
【００２４】
モード切り替えスイッチ１１７で、静止画撮影モードに含まれるこれらのモードのいずれかに直接切り替えられる。あるいは、モード切り替えスイッチ１１７で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。
【００２５】
操作部１１５には、メインダイヤル５０、情報表示切替ボタン５５、再生ボタン５７、ライブビューボタン６０、撮影設定ボタン７０、方向ボタン８０、ＳＥＴボタン９０などの各種操作部材が含まれる。操作部１１５の各操作部材は、表示部１１１に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部１１１に表示される。利用者は、表示部１１１に表示されたメニュー画面と、方向ボタン８０やＳＥＴボタン９０とを用いて直感的に各種設定を行うことができる。
【００２６】
電源制御部１１９は、電池検出回路、ＤＣ−ＤＣコンバータ、通電するブロックを切り替えるスイッチ回路等により構成され、電池の装着の有無、電池の種類、電池残量の検出を行う。また、電源制御部１１９は、その検出結果及びシステム制御部１０１の指示に基づいてＤＣ−ＤＣコンバータを制御し、必要な電圧を必要な期間、記録媒体１２３を含む各部へ供給する。
【００２７】
電源部１２０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１２２は、メモリカードやハードディスク等の記録媒体１２３とのインターフェースである。記録媒体１２３は、撮影された画像を記録するためのメモリカード等の記録媒体であり、半導体メモリや磁気ディスク等から構成される。
【００２８】
デジタルカメラ１００は、クリエイティブフィルター機能、ピクチャースタイル機能、雰囲気機能、エフェクトショット機能を設定して撮影すること可能である。これらはそれぞれ異なる設定メニュー（第１の設定メニュー、第２の設定メニュー、第３の設定メニュー、第４の設定メニュー）の階層下で設定値を設定可能である。
【００２９】
クリエイティブフィルターは、撮像された画像に特殊な画像処理効果を施して記録する機能である。クリエイティブフィルターにはフィルター効果として、ラフモノクロ、ソフトフォーカス、トイカメラ風、魚眼風などがある。ラフモノクロは、ざらついた感じの白黒写真を生成するモードである。ユーザーがフィルターレベルを調整することでコントラストが調整され、ざらつきの感じを変えられる。ソフトフォーカスは、やわらかい感じの画像を生成するモードである。ユーザーがフィルターレベルを調整することでぼかしの設定が調整され、やわらかさの感じを変えられる。トイカメラは、トイカメラのような独特の色調の画像を生成するモードである。ユーザーがフィルターレベルを調整することで色調が調整され、色の感じを変えられる。魚眼風は魚眼レンズで撮影したような画像となるように、画像中央部を広げ、周辺部を狭めるような、樽状の歪みを加えた画像処理を施すモードである。ユーザーがフィルターレベルを調整することで歪みの強さを変えられる。クリエイティブフィルターは、ＨＤＲ逆行補正モード、手持ち夜景モードに設定されているときに使用（設定）でき、その他の撮影モードの場合は無効となり設定することができない。
【００３０】
ピクチャースタイルは、ポートレート、風景、モノクロなど選択したシーン（項目）ごとにシャープネス、コントラスト、色相、彩度を最適なものに調整する機能である。ピクチャースタイルは、かんたん撮影ゾーンに含まれる撮影モードでは、オートに設定され、ユーザーが任意のシーン（項目）や設定値に設定することはできない。応用撮影ゾーンに含まれる撮影モード、すなわちＰモード、Ｔｖモード、Ａｖモード、Ｍモードの場合は、ポートレート、風景、モノクロなどの複数のシーン（項目）のうち任意の項目に設定することができる。また、シーンに対してシャープネス、コントラスト、色相、彩度などの設定値を調整して設定できる。
【００３１】
雰囲気機能（雰囲気を選んで撮影：Ｓｈｏｏｔ  ｂｙ  Ａｍｂｉｅｎｃｅ  Ｓｅｌｅｃｔｉｏｎ）は、撮りたい写真のイメージで記述された選択肢の何れかをユーザーが選択する。選択肢には、くっきり鮮やかに（ｓｈａｒｐ  ａｎｄ  ｖｉｖｉｄ）、ふんわりやわらかく（ｓｏｆｔｅｒ  ａｎｄ  ｍｏｒｅ  ｄａｉｎｔｙ）などがある。そして、選択された選択肢に合わせて色彩や色の濃さをベースに露出補正、ホワイトバランス補正が自動的に行われる機能である。雰囲気機能は、かんたん撮影ゾーンに含まれる撮影モードのうち、以下のモードに設定されている場合に使用（設定）できる。その他のモードでは無効となり設定することができない。クリエイティブオートモード（ＣＡモード）、ポートレートモード、風景モード、クローズアップ（マクロ）モード、スポーツモード。スペシャルシーンモード（ＳＣＮモード）に含まれる撮影モードのうち、キッズモード、夜景ポートレートモード、手持ち夜景モード。
【００３２】
エフェクトショットは、クリエイティブフィルター、ピクチャースタイル、雰囲気機能の少なくともいずれかの設定値がプリセットされた選択肢の中から何れかをユーザーが選択して撮影する機能である。エフェクトショットの選択肢は、クリエイティブフィルター、ピクチャースタイル、雰囲気機能で設定可能な設定値がそれぞれセットされた各プリセットを巡回的に選択できるように選択順が定められている。エフェクトショットを用いることで、クリエイティブフィルター、ピクチャースタイル、雰囲気機能の各機能に詳しくないユーザーであっても、各機能の各種詳細項目を設定する操作することなく、代表的な設定を気軽に利用して撮影することができる。エフェクトショットは、ＣＡモードに設定されているときに使用（設定）でき、その他の撮影モードの場合は無効となり設定することができない。
【００３３】
以下に、各撮影モードで上述の各機能のいずれが使用可能であるかをまとめる。クリエイティブフィルター機能が利用できる撮影モードに「Ｃ」、ピクチャースタイル機能のうちオート以外が利用できる撮影モードに「Ｐ」、雰囲気機能が利用できる撮影モードに「Ａ」、エフェクトショットが利用できる撮影モードに「Ｅ」を付す。
【００３４】
［応用撮影ゾーン］
・プログラムＡＥモード（Ｐモード）…「Ｃ」、「Ｐ」
・シャッター優先ＡＥモード（Ｔｖモード）…「Ｃ」、「Ｐ」
・絞り優先ＡＥモード（Ａｖモード）…「Ｃ」、「Ｐ」
・マニュアル露出モード（Ｍモード）…「Ｃ」、「Ｐ」
【００３５】
［かんたん撮影ゾーン］
・ストロボ発光禁止モード…「Ｃ」
・クリエイティブオートモード（ＣＡモード）…「Ｃ」、「Ａ」、「Ｅ」
・ポートレートモード…「Ｃ」、「Ａ」
・風景モード…「Ｃ」、「Ａ」
・クローズアップ（マクロ）モード…「Ｃ」、「Ａ」
・スポーツモード…「Ｃ」、「Ａ」
【００３６】
［スペシャルシーンモード（ＳＣＮモード）］
・キッズモード…「Ｃ」、「Ａ」
・料理モード…「Ｃ」、「Ａ」
・キャンドルライトモード…「Ｃ」
・夜景ポートレートモード…「Ｃ」
・手持ち夜景モード…「Ａ」
・ＨＤＲ（ハイダイナミックレンジ）逆光補正モード…なし
以下、クリエイティブフィルター機能、ピクチャースタイル機能、雰囲気機能、エフェクトショット機能の撮影での利用方法について説明する。
【００３７】
＜撮影モード処理＞
図３に、デジタルカメラ１００における撮影モード処理のフローチャートを示す。この処理は、不揮発性メモリ１１４に記録されたプログラムを、システムメモリ１１３に展開してシステム制御部１０１が実行することにより実現する。デジタルカメラ１００が撮影モードで起動されると図３の処理が開始される。
【００３８】
Ｓ３０１ではまず、システム制御部１０１は、ライブビューがオンで撮影モードが起動されたか否かを判定する。ライブビューがオンである場合Ｓ３０２に進み、そうでない場合はＳ３０３に進む。
【００３９】
Ｓ３０２では、システム制御部１０１は、光学ファインダに被写体光を導くミラーをアップし（ミラーアップ）、被写体光を撮像部１０６に導く。そして撮像部１０６で連続的に撮影したスルー画像をライブビュー画像として表示部１１１に表示し、ライブビュー表示を行う。
【００４０】
Ｓ３０３では、システム制御部１０１は、撮影設定ボタン７０が押下されたか否かを判定する。撮影設定ボタン７０が押下されたと判定するとＳ３０４に進んで撮影設定処理（図４を用いて後述）を行い、そうでない場合はＳ３０５に進む。
【００４１】
Ｓ３０５では、システム制御部１０１は、モードダイヤル１１７が操作されたか否かを判定する。モードダイヤル１１７が操作されたと判定するとＳ３０６に進み、モードダイヤル１１７の操作に応じて撮影モードを変更する。モードダイヤル１１７が操作されていない場合はＳ３０７に進む。
【００４２】
Ｓ３０７では、システム制御部１０１は、ライブビューボタン６０が押下されたか否かを判定する。ライブビューボタン６０が押下された場合はＳ３０８に進む。Ｓ３０８では、システム制御部１０１は、ライブビューがオフであった場合にはオンに切り替え、ミラーアップしてライブビュー表示を行う。ライブビューがオンであった場合にはオフに切り替え、ミラーをダウンして被写体光を光学ファインダに導く。なお、ライブビュー表示では、後述するクリエイティブフィルター、ピクチャースタイル、雰囲気機能、エフェクトショットで設定された各設定値を反映した画像処理を施したライブビュー画像が表示されるものとする。
【００４３】
Ｓ３０９では、システム制御部１０１は、メインダイヤルが操作されたか否かを判定する。メインダイヤルが操作された場合（特定の操作が行われた場合）はＳ３１０に進み、そうでない場合はＳ３１３に進む。
【００４４】
Ｓ３１０では、システム制御部１０１は、システムメモリ１１３を参照し、現在エフェクトショットがオンとなっているか否かを判定する。エフェクトショットがオンとなっている場合はＳ３１１に進み、そうでない場合、すなわちエフェクトショットがオフである場合はＳ３１２に進む。Ｓ３１１では、システム制御部１０１は、メインダイヤルの回転操作に応じてエフェクトショットの効果を切り替えるエフェクト切替処理を行う（図７を用いて後述する）。Ｓ３１２では、システム制御部１０１は、現在の撮影モードに応じてメインダイヤル５０の回転操作に応じた処理を行う。例えば、現在の撮影モードがシャッタースピード優先モード（Ｔｖモード）であれば、メインダイヤル５０の回転操作に応じてシャッタースピードの設定を変更する。
【００４５】
Ｓ３１３では、システム制御部１０１は、ＳＷ１がオンとなったか否かを判定する。ＳＷ１がオンとなった場合はＳ３１４に進み、そうでない場合はＳ３２１に進む。Ｓ３１４では、システム制御部１０１は、撮影準備処理としてオートフォーカス処理（ＡＦ）、自動露出制御処理（オートエクスポージャー／ＡＥ）を行う。Ｓ３１５では、システム制御部１０１は、ＳＷ２がオンとなったか否かを判定する。ＳＷ２がオンとなった場合はＳ３１７に進み、そうでない場合はＳ３１６に進む。Ｓ３１６では、システム制御部１０１は、ＳＷ１がオンのままであるか否かを判定する。ＳＷ１がオンのままである場合にはＳ３１５に進み、ＳＷ１がオンでない、すなわちシャッターボタン１１６が離された場合にはＳ３２１に進む。
【００４６】
Ｓ３１７では、システム制御部１０１は、撮像部１０６での撮影を行い、撮影で得られた画像データをメモリ１０９に一時格納する。ここでの撮影は、撮影した画像を画像ファイルとして記録するための撮影であるため、前述のライブビュー表示を行うための撮影と区別するために本撮影と称する。
【００４７】
Ｓ３１８では、システム制御部１０１は、Ｓ３１７でメモリ１０９に一時格納した画像データに、画像処理部１０２を制御して画像処理を施す。ここでの画像処理は、前述のクリエイティブフィルター機能、ピクチャースタイル機能、雰囲気機能、エフェクトショット機能で設定された内容に基づく画像処理が施される。
【００４８】
Ｓ３１９では、システム制御部１０１は、Ｓ３１８で画像処理を施された画像を表示部１１１に所定時間（２秒程度）表示するクイックレビュー表示を行う。なお、クイックレビュー表示の設定が予めオフに設定されていた場合はこの処理を省いても良い。
【００４９】
Ｓ３２０では、システム制御部１０１は、Ｓ３１８で画像処理を施された画像を画像ファイルとして記録媒体１２３に記録する。また、システム制御部１０１は、画像ファイルのヘッダに、撮影された画像が、どの撮影モードに設定されて撮影された画像かどうかの情報、及びどんな撮影パラメータで撮影及び／または画像処理されたかを示す情報を記録する。このように記録された画像ファイルのヘッダを読むことで、画像ファイルに含まれる画像がどの撮影モードで、どのような設定で撮影されたかを再生時に解析することができる。例えば、エフェクトショット機能がオンで撮影されたか否か、どの機能名のどの項目がどの設定値に設定されて撮影されたかを再生時に判別できるようにしている。
【００５０】
Ｓ３２１では、システム制御部１０１は、再生ボタン５７が押下されたか否かを判定する。再生ボタン５７が押下された場合はＳ３２２に進み、そうでない場合はＳ３２３に進む。Ｓ３２２では、システム制御部１０１は、再生モード処理を行う。再生モード処理の詳細は図１２を用いて後述する。
【００５１】
Ｓ３２３では、システム制御部１０１は、終了イベントがあったか否かを判定する。終了イベントには、電源をオフとする操作、電池残量が無くなることが検知されたこと、所定時間無操作であったことを条件とするオートパワーオフが実行されることなどがある。終了イベントが無かった場合はＳ３０１に戻って処理を繰り返し、終了イベントがあった場合には撮影モード処理を終了する。
【００５２】
図４に、撮影設定処理のフローチャートを示す。この処理は、図３で前述したＳ３０４の撮影設定処理の詳細である。また、この処理は、不揮発性メモリ１１４に記録されたプログラムをシステムメモリ１１３に展開してシステム制御部１０１が実行することで実現する。
【００５３】
Ｓ４０１では、システム制御部１０１は、表示部１１１に撮影設定画面を表示する。
【００５４】
図８（ａ）に、現在の撮影モードがＣＡモードであった場合の撮影設定画面の表示例を示す。表示部１１１には、選択可能な撮影設定の大項目として、項目８０１〜８０４が画面右側に縦に並んで表示される（大項目メニュー）。大項目には、第１の項目、第２の項目、第３の項目、第４の項目を含む。このうち、項目８０２が雰囲気機能、項目８０３がクリエイティブフィルター、項目８０４がエフェクトショットを示す項目である。大項目の何れか１つがカーソルを付して選択された状態で表示される。図８（ａ）の例では、クリエイティブフィルターの項目８０３にカーソルが当たっており、選択された状態となっている。画面下部には、大項目８０１〜８０４のうち、カーソルの当たっている項目（選択されている大項目）についての設定値の選択肢である、下位項目が表示される（第１の設定メニュー）。図８（ａ）の例では、選択されている大項目がクリエイティブフィルターの項目８０３であるため、画面下部にはクリエイティブフィルターの下位項目８１１〜８１８（設定値群）が表示されている（下位項目のメニュー）。なお、大項目８０１〜８０４、下位項目８１１〜８１８、及び選択されている大項目が何であるかを示すダイアログは、ライブビューがオンである場合にはライブビュー画像に重畳して表示される。
【００５５】
図８（ｃ）に、現在の撮影モードがＰモードであった場合の撮影設定画面の表示例を示す。Ｐモードであるため、雰囲気機能とエフェクトショットは利用できず無効であるため、対応する項目８０２、８０４は表示されない。一方でＣＡモードでは無効であったピクチャースタイルが有効であるため、ピクチャースタイルの項目である大項目８０５が表示されている。図示の例はピクチャースタイルの項目８０５にカーソルが当たった状態を示したものである。下位項目には、ピクチャースタイルの下位項目である下位項目８２１〜８２５が表示され、このうち、項目８２１に下位項目のカーソルが表示されている（第２の設定メニュー）。下位項目８２１〜８２５が表示されている場合は、同じ画面内には他の大項目（上位項目）の下位項目であるクリエイティブフィルターの下位項目８１１〜８１８は表示されない。
【００５６】
Ｓ４０２では、システム制御部１０１は、上下キーのいずれかが押下されたか否かを判定する。上下キーが押下された場合はＳ４０３に進み、そうでない場合にはＳ４０７に進む。
【００５７】
Ｓ４０３では、システム制御部１０１は、システムメモリ１１３を参照し、エフェクトショットがオンであるか否かを判定する。オンである場合はＳ４０４に進み、そうでない場合はＳ４０５に進む。なお、現在の撮影モードがＣＡモード以外の時はエフェクトショットは利用できず無効であり、エフェクトショットはオフとなっているものとする。
【００５８】
Ｓ４０４では、システム制御部１０１は、上下キーの操作に応じて、表示されている大項目のうち、クリエイティブフィルター、ピクチャースタイル、雰囲気機能以外の大項目にカーソルを移動する。
【００５９】
Ｓ４０５では、システム制御部１０１は、上下キーの操作に応じて、クリエイティブフィルター、ピクチャースタイル、雰囲気機能を含めた、現在の撮影モードで有効な大項目の何れかにカーソルを移動する。
【００６０】
Ｓ４０６では、システム制御部１０１は、Ｓ４０４またはＳ４０５で移動されたカーソルによって選択された大項目の下位項目を、表示部１１１の画面下部に表示する。表示された複数の下位項目の何れか１つにはカーソルが表示される。なお、エフェクトショットの下位項目としては、「ＯＮ」と「ＯＦＦ」が選択肢として表示されるものとする。
【００６１】
このように、上下キーの操作に応じて選択している大項目を変更できるが、エフェクトショットがオンの場合には大項目のうち、クリエイティブフィルター、ピクチャースタイル、雰囲気機能は無効として選択できないようにしている。これによって、クリエイティブフィルター、ピクチャースタイル、雰囲気機能での設定と、エフェクトショットでの設定が矛盾してしまうことを防いでいる。
【００６２】
Ｓ４０７では、システム制御部１０１は、現在クリエイティブフィルターが選択されているか（クリエイティブフィルターの大項目にカーソルがあるか）を判定する。クリエイティブフィルターが選択されている場合はＳ４０８に進み、クリエイティブフィルター設定処理（図５で後述）を行う。
【００６３】
Ｓ４０９では、システム制御部１０１は、現在雰囲気機能が選択されているか（雰囲気機能の大項目にカーソルがあるか）を判定する。雰囲気機能が選択されている場合はＳ４１０に進み、雰囲気設定処理を行う。雰囲気設定処理は、設定可能なパラメータが異なるのみで、操作方法はクリエイティブフィルターとほぼ同等なので説明を省略する。
【００６４】
Ｓ４１１では、システム制御部１０１は、現在ピクチャースタイルが選択されているか（ピクチャースタイルの大項目にカーソルがあるか）を判定する。ピクチャースタイルが選択されている場合はＳ４１２に進み、ピクチャースタイル設定処理（図６で後述）を行う。
【００６５】
Ｓ４１２では、システム制御部１０１は、クリエイティブフィルター、ピクチャースタイル、雰囲気機能、エフェクトショット以外の大項目（例えばホワイトバランスの項目８０１）が選択されているか否かを判定する。Ｙｅｓである場合はＳ４１４に進み、選択されている大項目に応じた設定処理を行う。
【００６６】
Ｓ４１５では、システム制御部１０１は、大項目のうち、現在エフェクトショットが選択されているか（エフェクトショットの大項目にカーソルがあるか）を判定する。エフェクトショットが選択されている場合はＳ４１６に進み、そうでない場合はＳ４２２に進む。なお、現在の撮影モードがＣＡモードである場合以外は、エフェクトショットの大項目は表示されないため、Ｓ４１５の判定はＮｏとなる。
【００６７】
Ｓ４１６では、システム制御部１０１は、左右キーが押下されたか否かを判定する。左右キーが押下されたと判定するとＳ４１７に進み、そうでない場合はＳ４２２に進む。
【００６８】
Ｓ４１７では、システム制御部１０１は、左右キーの押下に応じて下位項目のカーソルを移動させることによって、カーソルが「ＯＮ」に移動するか否かを判定する。「ＯＮ」に移動する場合はＳ４１８に進み、そうでない場合（すなわち「ＯＦＦ」に移動する場合）はＳ４２０に進む。
【００６９】
Ｓ４１８では、システム制御部１０１は、下位項目のカーソルを「ＯＮ」移動させ、エフェクトショットをＯＮに設定する。エフェクトショットがＯＮに設定されると、システムメモリ１１３に「ＯＮ」である旨を記録する。
【００７０】
Ｓ４１９では、システム制御部１０１は、撮影設定画面に表示された大項目のうち、クリエイティブフィルターの項目８０４、ピクチャースタイルの項目８０２、雰囲気機能の項目８０３をグレーアウト表示し、無効とする。これによってユーザーに、エフェクトショットをオンにするとクリエイティブフィルター、ピクチャースタイル、雰囲気機能が無効になり、選べなくなることを認識させることができる。
【００７１】
Ｓ４２０では、システム制御部１０１は、下位項目のカーソルを「ＯＦＦ」移動させ、エフェクトショットをＯＦＦに設定する。エフェクトショットがＯＦＦに設定されると、システムメモリ１１３に「ＯＦＦ」である旨を記録する。
【００７２】
Ｓ４２１では，システム制御部１０１は、撮影設定画面に表示された大項目のうち、クリエイティブフィルターの項目８０４、ピクチャースタイルの項目８０２、雰囲気機能の項目８０３のグレーアウト表示を解除して、有効となったことが識別可能な表示に更新する。
【００７３】
Ｓ４２２では、システム制御部１０１は、ＳＥＴボタン９０が押下されたか否かを判定する。ＳＥＴボタン９０が押下されていない場合はＳ４０２に戻って処理を繰り返す。ＳＥＴボタン９０が押下された場合は撮影設定画面を非表示にし、図３のＳ３０５に進む。
【００７４】
図５に、クリエイティブフィルター設定処理のフローチャートを示す。この処理は、図４で前述したＳ４０８の処理の詳細である。また、この処理は、不揮発性メモリ１１４に記録されたプログラムをシステムメモリ１１３に展開してシステム制御部１０１が実行することで実現する。
【００７５】
Ｓ５０１では、システム制御部１０１は、左右キーが押下されたか否かを判定する。左右キーが押下された場合はＳ５０２に進み、そうでない場合はＳ５０３に進む。
【００７６】
Ｓ５０２では、システム制御部１０１は、左右キーの押下に応じて、表示された下位項目８１１〜８１８の何れかに下位項目のカーソルを移動し、カーソルが当たった下位項目が示す設定に設定変更する。
【００７７】
Ｓ５０３では、システム制御部１０１は、情報表示切り替えボタン５５が押下されたか否かを判定する。情報表示切り替えボタン５５が押下された場合はＳ５０４に進み、そうでない場合は図５の処理を終了して前述した図４のＳ４１５に進む。
【００７８】
Ｓ５０４では、システム制御部１０１は、表示部１１１にフィルター効果の強弱画面（フィルターレベルの設定画面）を表示する。図８（ｂ）に、フィルター効果の強弱画面の表示例を示す。
【００７９】
Ｓ５０５では、システム制御部１０１は、左右キーが押下されたか否かを判定する。左右キーが押下されたと判定するとＳ５０６に進み、そうでない場合はＳ５０７に進む。
【００８０】
Ｓ５０６では、システム制御部１０１は、左右キーの押下に応じてフィルターレベルを上げる、または下げる。すなわちフィルター効果の強弱設定を変更する。
【００８１】
Ｓ５０７では、システム制御部１０１は、情報表示切り替えボタン５５が押下されたか否かを判定する。情報表示切り替えボタン５５が押下されていない場合はＳ５０５に戻る。情報表示切り替えボタン５５が押下された場合はフィルター効果の強弱設定画面を閉じて（非表示として）撮影設定画面を表示し、図５の処理を終了して前述した図４のＳ４１５に進む。
【００８２】
図６に、ピクチャースタイル設定処理のフローチャートを示す。この処理は、図４で前述したＳ４１２の処理の詳細である。また、この処理は、不揮発性メモリ１１４に記録されたプログラムをシステムメモリ１１３に展開してシステム制御部１０１が実行することで実現する。
【００８３】
Ｓ６０１では、システム制御部１０１は、左右キーが押下されたか否かを判定する。左右キーが押下された場合はＳ６０２に進み、そうでない場合はＳ６０３に進む。
【００８４】
Ｓ６０２では、システム制御部１０１は、左右キーの押下に応じて、表示された下位項目の何れかに下位項目のカーソルを移動し、カーソルが当たった下位項目が示す設定に設定変更する。
【００８５】
Ｓ６０３では、システム制御部１０１は、情報表示切り替えボタン５５が押下されたか否かを判定する。情報表示切り替えボタン５５が押下された場合はＳ６０４に進み、そうでない場合は図６の処理を終了して前述した図４のＳ４１５に進む。
【００８６】
Ｓ６０４では、システム制御部１０１は、表示部１１１にピクチャースタイルの詳細設定画面を表示する。図８（ｄ）に、ピクチャースタイルの詳細設定強弱画面の表示例を示す。画面右側には、複数の詳細設定項目が表示される。画面下部には、複数の詳細設定項目のうち、カーソルがあたって選択されている項目（図示の例ではシャープネス）の設定可能な値（設定値の設定バー）を表示する。
【００８７】
Ｓ６０５では、システム制御部１０１は、ピクチャースタイルの詳細設定画面の画面右側に表示された複数の詳細設定項目のうちの何れかにカーソルを表示する。
【００８８】
Ｓ６０６では、システム制御部１０１は、ピクチャースタイルの詳細設定画面で選択された詳細設定項目に対応して画面下側に表示された設定可能な値のうち、現在設定されている値を表示する。図８（ｄ）の例では、逆三角形の表示アイテムによって指示された位置が現在の設定値である。
【００８９】
Ｓ６０７では、システム制御部１０１は、上下キーが押下されたか否かを判定する。上下キーが押下された場合はＳ６０８に進み、そうでない場合はＳ６０９に進む。
【００９０】
Ｓ６０８では、システム制御部１０１は、上下キーの押下に応じて、詳細設定項目のカーソルを移動する（複数の詳細設定項目のうち選択されている項目を変更する）。
【００９１】
Ｓ６０９では、システム制御部１０１は、左右キーが押下されたか否かを判定する。左右キーが押下されたと判定するとＳ６１０に進み、そうでない場合はＳ５０７に進む。
【００９２】
Ｓ６１０では、システム制御部１０１は、左右キーの押下に応じて、選択された詳細設定項目の設定値を、画面下部に表示された設定可能な値のいずれかに変更する。設定された値はシステムメモリ１１３に記憶する。
【００９３】
Ｓ６１１では、システム制御部１０１は、情報表示切り替えボタン５５が押下されたか否かを判定する。情報表示切り替えボタン５５が押下されていない場合はＳ６０６に戻る。情報表示切り替えボタン５５が押下された場合はピクチャースタイルの詳細設定画面を閉じて（非表示として）撮影設定画面を表示し、図６の処理を終了して前述した図４のＳ４１５に進む。
【００９４】
以上、クリエイティブフィルター、雰囲気、ピクチャースタイルについての設定方法を説明してきた。しかし、ユーザーがクリエイティブフィルター、雰囲気、ピクチャースタイルのいずれか異なる機能に属する設定項目を切り替えるには撮影モードの切り換えや大項目の選択変更など、複雑な操作が必要である。また、クリエイティブフィルター、雰囲気、ピクチャースタイルの各機能で設定できるパラメータと、そのパラメータでどのような効果が得られるのかといった理解がないと、どの機能を使えばいいかがわからず、使いこなすことが難しい。そこで、クリエイティブフィルター、雰囲気、ピクチャースタイルのいずれかの階層下で設定可能な撮影設定（設定パラメータ）として代表的な設定を予め何パターンかプリセットしておく。そしてそれらのパターンの中から選ぶだけという簡単な利用方法を提供するのがエフェクトショットである。
【００９５】
図７に、エフェクトショットがオンの場合にメインダイヤル５０が回された時の処理である、エフェクト切替処理のフローチャートを示す。この処理は、図３のＳ３１１の処理の詳細である。エフェクトショットでは、メインダイヤル５０の回転操作に応じて、図１０のテーブルに示す順番（設定順序Ｎ）で設定が切り替わる。図１０は、エフェクト切替処理での切替順番と設定値とが対応付いたテーブルであり、不揮発性メモリ１１４に記憶されている。少なくとも１８の設定値のパターン（第１の設定値、第２の設定値、第３の設定値、第４の設定値、第５の設定値、第６の設定値、第７の設定値、第８の設定値、第９の設定値、第１０の設定値、第１１〜第１８の設定値）がある。
【００９６】
また、この処理は、不揮発性メモリ１１４に記録されたプログラムをシステムメモリ１１３に展開してシステム制御部１０１が実行することで実現する。
【００９７】
Ｓ７０１では、システム制御部１０１は、メインダイヤル５０の回転方向が時計回りであるか否かを判定する。時計回りであると判定するとＳ７０２に進み、そうでない場合（すなわち反時計回りに回転操作された場合）にはＳ７０５に進む。
【００９８】
Ｓ７０２では、システム制御部１０１は、システムメモリ１１３に保持した変数Ｎを１つインクリメントする（ダイヤル１クリック分の操作毎に１つインクリメントする）。変数Ｎは、選択される設定の順番に対応する数値であり、図１０に示した設定順序のうち、変数Ｎに対応するものが設定される。
【００９９】
Ｓ７０３では、システム制御部１０１は、変数Ｎが図１０に示すテーブルにある設定順序のうち最大の値（最大値）を超えたか否かを判定する。最大値を超えたと判定するとＳ７０４に進んでＮを１に設定し、最大値を超えていない場合はＳ７０８に進む。
【０１００】
一方Ｓ７０５では、システム制御部１０１は、システムメモリ１１３に保持した変数Ｎを１つデクリメントする（ダイヤル１クリック分の操作毎に１つデクリメントする）。
【０１０１】
Ｓ７０６では、システム制御部１０１は、変数Ｎが０以下となったか否かを判定する。０以下である場合はＳ７０７に進んでＮを最大値に設定し、０以下でない場合はＳ７０８に進む。
【０１０２】
Ｓ７０８では、システム制御部１０１は、図１０のテーブルにある設定パターンのうち、設定順序がＮの設定パターン（設定項目と設定値）に設定する。
【０１０３】
Ｓ７０９では、システム制御部１０１は、Ｓ７０８で設定された設定項目と設定値、機能名を表示部１１１に表示する。
図９（ａ）〜図９（ｃ）に、エフェクト切替処理で設定が切り替えられた場合の表示部１１１での表示例を示す。
【０１０４】
図９（ａ）は、図１０のうち、設定順序１の設定パターンに設定された場合に表示例である。機能名がクリエイティブフィルターであり、設定項目名が「ラフモノクロ」であり、設定値が標準（３段階の中央の値）であることが表示されている。この設定は、変数Ｎ＝１のときに設定される。また、画面下部には、メインダイヤル５０の操作で別の設定に切り替えられることを示す操作ガイダンスが表示される。
【０１０５】
図９（ｂ）は、図１０のうち、設定順序２の設定パターンに設定された場合の表示例である。機能名が雰囲気であり、設定項目名が「くっきり鮮やかに」であり、設定値が強め（３段階のうち最大値）であることが表示されている。この設定はＮ＝２の時に設定されるものであり、Ｎ＝１である図９（ａ）の状態からメインダイヤル５０を時計回りに１クリック分回転させると設定される。
【０１０６】
図９（ｃ）は、図１０のうち、設定順序３の設定パターンに設定された場合の表示例である。機能名がピクチャースタイルであり、設定項目が「モノクロ」
であり、設定値が“３，０、Ｎ，Ｎ”であることが表示されている。この設定は変数Ｎ＝３の時に設定されるものであり、Ｎ＝２である図９（ｂ）の状態からメインダイヤル５０を時計回りに１クリック分回転させると設定される。
【０１０７】
このように、メインダイル５０を回転させると、クリエイティブフィルターの機能で設定できる設定値、雰囲気で設定できる設定値、ピクチャースタイルで設定できる設定値の順番で設定が切り替わる。すなわち、クリエイティブフィルターの設定パターンが設定された状態（例えばＮ＝１）からメインダイヤルを１クリック分時計回りに操作すると、雰囲気の設定パンターン（Ｎ＝２）に設定が切り替わる。クリエイティブフィルターの設定パターンが設定された状態（例えばＮ＝１）から、１クリック分の回転操作では、図１０のテーブルにある同じクリエイティブフィルターに属する他の設定パターンには切り替わらない。また、図１０のテーブルにあるクリエイティブフィルターの設定パターンが設定された状態（例えばＮ＝７）から、メインダイヤルを１クリック分時計回りに操作すると、異なる機能である雰囲気の設定パターン（Ｎ＝８）に設定が切り替わる。このように、同一機能の階層化の設定が連続するような順番とはせず、階層の異なる機能が順次選択されるようにして、メインダイヤルの操作に応じて、より多様な設定が現れるように図１０のテーブルが構成されている。より具体的には、設定パターンを３つの群（第１群〜第３群）に分け、メインダイヤル５０の操作に応じて、現在の設定されている群とは異なる群の設定パターンに順次設定されるような順番としている。第１群はクリエイティブフィルターで設定可能な設定パターンに対応付いている。第２群は雰囲気ンお機能と、ピクチャースタイルの機能のうちモノクロ以外の設定項目で設定可能な設定パターンに対応付いている。第３群は、ピクチャースタイルの機能のうちモノクロの設定項目で設定可能な設定パターンに対応付いている。なお、ピクチャースタイルに含まれるモノクロ設定は撮影効果が見た目に分りやすく詳細設定も多いため、モノクロ設定のみで第３群を構成している。すなわち、ピクチャースタイルに含まれる設定値（設定パターン）は、モノクロ設定以外の設定値でなる第１のグループ（第２群の設定パターン）と、モノクロ設定の設定値でなる第２のグループ（第３群の設定パターン）とにグループ分けされている。
【０１０８】
このように、エフェクトショットを使わない場合はそれぞれ異なる撮影モードや、それぞれ異なる階層（大項目）下で設定できる値を、エフェクトショットではメインダイヤル５０の操作に応じて、撮影モードや階層を跨いだ順番で選択できる。また、その順番は、異なる項目群の設定パターンが巡回的に設定されるようにしている。このようにすることで、デジタルカメラ１００の操作に慣れていないユーザーであっても、メインダイヤル５０を回転させてみることで、様々な効果の画像処理を施す設定が可能であることを認識させることができる。すなわち、ユーザーは手軽に様々な設定パターンを利用できる。また、エフェクトショットでの設定を用いることで、クリエイティブフィルターや雰囲気、ピクチャースタイルといった機能へのユーザーの理解が深まることが期待できる。そしていずれはエフェクトショットを用いずに、クリエイティブフィルターや雰囲気、ピクチャースタイルといった機能を直接設定して、ユーザーがより高度に画質を調整して撮影できるようになっていくことを促すことができる。
【０１０９】
なお、上述のエフェクトショットは、撮影された画像に対する画像処理の設定が行える機能であるが、本発明はこれらの画像処理の設定項目に限らず適用可能である。すなわち、撮像装置以外の機器であっても、機器のそれぞれ異なる項目で（他の上位階層下で）設定できる設定パターンを、動作モードや項目（階層）を切り替えることなしに、順次選択して設定できるようにすればよい。その際、選択する順番を、互いに違う項目下の設定値が隣り合うようにする。このようにすることで、その機器における多様な階層下で設定可能な設定を、初心者ユーザーでも気軽に利用できるようになる。すなわち、ユーザーは、簡単な操作で多様な機能を利用することができる。
【０１１０】
＜再生モード処理＞
上述のようにして撮影された、エフェクトショットをオンにして撮影された画像（以下、エフェクトショットで撮影された画像と称する）の再生表示方法について説明する。上述のとおり、エフェクトショットでは、撮影された画像にクリエイティブフィルター、雰囲気機能、ピクチャースタイルで設定可能ないずれかのパラメータを用いて画像処理された画像が記録される。そのため、エフェクトショットで撮影された画像は、エフェクトショットで撮影された旨のみを表示してもどのよう効果が施されて撮影されたかがわからない。そこで本発明では、エフェクトショットで撮影された画像を再生表示するとともに、どのような機能のどのような撮影パラメータを用いて撮影されたのかを表示する。また、上述のとおり、クリエイティブフィルター、雰囲気機能、ピクチャースタイルは、それぞれ利用できる撮影モードが異なる。そのため、クリエイティブフィルター、雰囲気機能、ピクチャースタイルで設定可能な設定パラメータを用いたことをユーザーがわかったとしても、どのように操作すればその設定を再現できるのかがわからない。より詳しくは、どの撮影モードに設定すれば所望の機能を利用でき、どの撮影モードだと所望の機能を利用できないのかがわからない。さらには、どの撮影モードに設定すれば良いかがわかったとしても、どのようにすれば所望の撮影モードに設定できるのかの操作方法がわからない。そこで本発明では、エフェクトショットで撮影された画像を再生表示する際に、どのような機能のどのような撮影パラメータを用いて撮影されたのかを表示する。さらにエフェクトショットで撮影された画像に用いられた設定パラメータを設定可能な機能が何であるかと、その機能が使用可能な撮影モードはなにか、さらにはどのようにしてその撮影モードに設定するかを表示する。
【０１１１】
図１１（ａ）に、エフェクトショットで撮影された画像の再生モードでの表示部１１１への表示例を示す。エフェクトショットアイコン１１０１は、再生表示されている画像がエフェクトショットをオンにして撮影された画像であることを示している。この状態で、ユーザーによって操作部１１５に含まれる撮影効果表示ボタンを押下されると、図１１（ｂ）の表示となる。
【０１１２】
図１１（ｂ）に、表示部１１１における、エフェクトショットで撮影された画像の撮影効果の表示例を示す。画像に重畳して、撮影効果ダイアログ１１０２が表示されている。撮影効果ダイアログには、機能名１１０３、項目名／設定値表示１１０４、操作キーガイド１１０５が表示される。ユーザーは、機能名１１０３により、現在表示している画像が、雰囲気機能の設定を用いて撮影された画像だということがわかる。また、ユーザーは、項目名／設定値表示１１０４により、雰囲気機能のうち、「くっきり鮮やかに」の下位項目で、設定値３段階のうち最大値に設定して撮影された画像だということがわかる。また、操作キーガイド１１０５により、情報表示切替ボタン５５を押下することによりさらなる詳細情報を表示させることができることがわかる。この状態でユーザーによって情報表示切替ボタン５５が押下されると、図１１（ｃ）の表示となる。
【０１１３】
図１１（ｃ）に、表示部１１１における、エフェクトショットで撮影された画像で用いられた機能の操作方法ガイダンスの表示例を示す。操作方法ガイダンス１１０６には、モードダイヤル１１７を模した操作部材アイコン１１０７と、ＳＣＮモードに含まれる撮影モードのアイコンを一覧した吹き出し１１０８が表示される。操作部材アイコン１１０７と吹き出し１１０８には、設定可能な撮影モードの全てに対応するアイコン（撮影モードアイコン）が表示されている。これらの撮影モードアイコンのうち、撮影効果ダイアログ１１０２に表示された機能名が利用できる撮影モードに対応するアイコンを白で表示し、利用できない撮影モードに対応するアイコンをグレーアウトして表示している。この表示をみることで、ユーザーは、現在再生表示している画像に用いられた機能と同じ機能に設定して撮影を行うためには、どの撮影モードにすればよいか、すなわち、白で表示されている撮影モードアイコンの撮影モードに設定すればよいことがわかる。なお、このとき白で表示される撮影モードアイコンは、表示されている画像の撮影時に設定されていた撮影モードに限らない。すなわち、表示されている画像を撮影した際に設定されていた動作モード以外の動作モードを含む、表示されている画像を撮影した際の撮影設定を設定可能な動作モードが白で表示される。また、設定可能な撮影モードのうち、現在再生表示している画像に用いられた機能と同じ機能に設定することができない撮影モード（グレーアウトされている撮影モード）も知ることができる。また、操作部材アイコン１１０７と吹き出し１１００８によって、撮影モードダイヤルをどの位置に回せば白のアイコンで表示されている撮影モードに設定できるかがわかる。すなわち、現在再生表示している画像に用いられた機能が利用可能な撮影モードに設定する操作方法までわかる。この状態で上下キーが押下されると、図１１（ｄ）の表示となる。また、この状態で情報表示切替ボタン５５が押下されると、図１１（ａ）の表示となる。
【０１１４】
図１１（ｄ）に、表示部１１１における、エフェクトショットで撮影された画像で用いられた機能に関する効果詳細ガイダンスの表示例を示す。機能ガイド１１０９には、現在表示している画像に用いられた設定パラメータが利用できる機能であって、撮影効果ダイアログ１１０２に表示された機能がどのような機能であるのかが表示される。図１１（ｄ）の例では、雰囲気の機能がどのようなものなのかが表示されている。文章で説明することで、ユーザーが機能を理解するのに役立てることができる。下位項目ガイド１１１０は、現在表示している画像に用いられた設定項目であって、撮影効果ダイアログ１１０２に表示された設定項目がどのような設定なのかが表示されている。文章で説明することで、ユーザーが機能を理解するのに役立てることができる。
【０１１５】
上述の再生動作の詳細を説明する。
【０１１６】
図１２に、再生モード処理のフローチャートを示す。この処理は、前述した図３のＳ３２２の処理の詳細である。また、この処理は、不揮発性メモリ１１４に記録されたプログラムをシステムメモリ１１３に展開してシステム制御部１０１が実行することで実現する。
【０１１７】
Ｓ１２０１では，システム制御部１０１は、初期表示する画像として、ファイル番号がｎ番目の画像ファイルを記録媒体１２３から読込む。初期表示する画像は、最後に撮影された画像、あるいは前回再生モードの際に最後に表示されていた画像とし、その画像のファイル番号をｎの初期値とする。
【０１１８】
Ｓ１２０２では、システム制御部１０１は、読込んだｎ番目の画像ファイルのうち、属性情報（ヘッダ情報）を読込む。属性情報には，図３のＳ３２０で説明したとおり、どの撮影モードに設定されて撮影された画像かどうかの情報、及びどんな撮影パラメータで撮影及び／または画像処理されたかを示す情報が記録されている。
【０１１９】
Ｓ１２０３では、システム制御部１０１は，表示部１１１に読込んだ画像ファイルの画像を表示する。ここでは，画像１枚の全体が表示部１１１に収まるシングル表示を行うものとする。
【０１２０】
Ｓ１２０４では、システム制御部１０１は、Ｓ１２０２で読込んだ属性情報より、読込んだｎ番目の画像がエフェクトショットをオンにして撮影された画像であるか否かを判定する。エフェクトショットをオンにして撮影された画像である場合にはＳ１２０５に進み、そうで内場合はＳ１２１６に進む。
【０１２１】
Ｓ１２０５では、システム制御部１０１は、エフェクトショットで撮影された画像で有ることを示すエフェクトショットアイコン１１０１を表示する。このアイコンは、さらなる詳細情報を表示できることを示すアイコンでもある。このときの表示例が前述した図１１（ａ）の表示例である。
【０１２２】
Ｓ１２０６では、システム制御部１０１は、操作部１１５に含まれる撮影効果表示ボタンが押下されたか否かを判定する。撮影効果表示ボタンが押下された場合はＳ１２０７に進み、そうでない場合はＳ１２１６に進む。
【０１２３】
Ｓ１２０７では、システム制御部１０１は、表示部１１１に表示された画像に重畳して撮影効果ダイアログ１１０２を表示する。より詳しくは、Ｓ１２０２で読込んだ属性情報より、表示している画像が撮影された際に設定されていた機能名、項目名、設定値を特定し、これらの情報を撮影効果ダイアログ１１０１に表示する。このときの表示例が前述した図１１（ｂ）の表示例である。
【０１２４】
Ｓ１２０８では、システム制御部１０１は、情報表示切替えボタン５５が押下されたか否かを判定する。情報表示切り替えボタン５５が押下されたと判定するとＳ１２０９に進み、そうで内場合はＳ１２１４に進む。
【０１２５】
Ｓ１２０９では、システム制御部１０１は、表示部１１１に表示された画像に重畳して、操作方法ガイダンス１１０６を表示する。より詳しくは、Ｓ１２０２で読込んだ属性情報より、表示している画像が撮影された際に設定されていた機能（クリエイティブフィルターか、ピクチャースタイルか、雰囲気かの大項目の種別）を特定する。そして、不揮発性メモリ１１４に記憶された情報に基づき、特定した機能をエフェクトショットを使わずに利用可能な撮影モードを特定する。そして、モードダイヤル１１７を模した操作部材アイコン１１０７と、ＳＣＮモードに含まれる撮影モードのアイコンを表示するための画像データを不揮発性メモリ１１４から読み出して表示する。この際、特定した機能を利用可能な撮影モードに対応するアイコンを白で、その他の撮影モードに対応するアイコンをグレーで表示する。このときの表示例が前述した図１１（ｃ）の表示例である。
【０１２６】
Ｓ１２１０では、システム制御部１０１は、上下キーが押下されたか否かを判定する。上下キー画像が押下された場合はＳ１２１１に進み、そうでない場合はＳ１２１２に進む。
【０１２７】
Ｓ１２１１では、システム制御部１０１は、表示部に操作方法ガイダンス１１０６が表示されていた場合は効果詳細ガイダンスの表示に切替え、効果詳細ガイダンスが表示されていた場合は操作方法ガイダンス１１０６の表示に切替える。効果詳細ガイダンスの表示例が、前述した図１１（ｄ）の表示例である。
【０１２８】
Ｓ１２１２では、システム制御部１０１は、情報表示切り替えボタン５５が押下されたか否かを判定する。情報表示切り替えボタン５５が押下された場合はＳ１２１３に進み、そうでない場合はＳ１２１０に戻る。
【０１２９】
Ｓ１２１３では、システム制御部１０１は、操作方法ガイダンス、または効果詳細ガイダンスを非表示にし、Ｓ１２１５に進んで撮影効果ダイアログ１１０２も非表示にし、Ｓ１２０５に進んで図１１（ａ）の表示状態に戻る。
【０１３０】
Ｓ１２１４では、システム制御部１０１は、操作部１１５に含まれる撮影効果表示ボタンが押下されたか否かを判定する。撮影効果表示ボタンが押下された場合はＳ１２１５に進み、そうで内場合はＳ１２０８に戻る。
【０１３１】
Ｓ１２１５では、システム制御部１０１は、撮影効果ダイアログ１１０２も非表示にし、Ｓ１２０５に進んで図１１（ａ）の表示状態に戻る。
【０１３２】
一方Ｓ１２１６では、システム制御部１０１は、シングル再生の終了指示があったか否かを判定する。表示部１１１に複数の画像を表示するマルチ表示を行う指示、表示部１１１に画像を拡大表示する指示、撮影モードなどの他の動作モードに移行する指示等を、シングル再生の終了指示と見なすものとする。シングル再生の終了指示があると本処理を終了する。シングル再生の終了指示が無い場合にはＳ１２１７に進む。
【０１３３】
Ｓ１２１７では、システム制御部１０１は、画像送り指示（表示されている画像を他の画像に切替える指示）があったか否かを判定する。画像送り指示は、例えば左右キーの押下によって行えるものとする。画像送り指示があった場合はＳ１２１８に進み、そうでない場合はＳ１２０４に戻る。
【０１３４】
Ｓ１２１８では、システム制御部１０１は、システムメモリ１１３に保持した画像送りのための変数ｎを１つインクリメントし、Ｓ１２０１に進み次の画像の表示処理を行う。なお、画像戻しの場合は変数ｎを１つデクリメントするものとする。
【０１３５】
以上説明した本発明の再生モード処理によれば、再生表示された画像が、どのような撮影モード（撮影設定）で撮影されたのかをユーザーが識別することができる。また、再生表示された画像の撮影の際に用いた撮影設定を、どのように操作すれば設定できるのかを知ることができる。さらに、その撮影設定がどのような効果のある設定なのかを理解することができる。
【０１３６】
なお、システム制御部１０１の制御は１つのハードウェアが行ってもよいし、複数のハードウェアが処理を分担することで、装置全体の制御を行ってもよい。
【０１３７】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１３８】
また、上述した実施形態においては、本発明をデジタルカメラ１００に適用した場合を例にして説明したが、これはこの例に限定されない。上述の撮影モード処理と同様の処理は、撮影や画像処理に関する設定に限らず、それぞれ異なる複数の項目の階層下で異なる設定値を設定可能な電子機器であれば適用可能である。例えば画像表示に関する設定や通信に関する設定にも適用可能である。また、上述の再生モードと同様の処理は、撮影済みの画像の属性情報を読み込めるとともに、撮影済みの画像を表示することのできる表示制御装置であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。
【０１３９】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2014178951.tif 000003
【図２】
2014178951.tif 000004
【図３】
2014178951.tif 000005
【図４】
2014178951.tif 000006
【図５】
2014178951.tif 000007
【図６】
2014178951.tif 000008
【図７】
2014178951.tif 000009
【図８】
2014178951.tif 000010
【図９】
2014178951.tif 000011
【図１０】
2014178951.tif 000012
【図１１】
2014178951.tif 000013
【図１２】
2014178951.tif 000014